(57)【特許請求の範囲】
【請求項１】
空気を取り入れる開口部および台座に載せる狭い開口部を有し、多孔質発泡ウレタンなどにより円柱状に形成したフィルタエレメントの側部を保護するカバーであって、カバーの内側に空気を整流させる螺旋状のフィンを設けるとともに、カバーの側面に孔をあけて、フィルタエレメントの頂部にリング状取付金具を嵌め込み、カバーの孔を経て、リング状取付金具と台座との間にコイル状スプリングを掛けて、フィルタエレメントおよびカバーを台座に固定することを特徴とするエンジン用エアクリーナーカバー。
【発明の詳細な説明】
【０００１】
【産業上の利用分野】
エンジン用エアクリーナーにおいて、吸気効率を低下させることなくフィルタエレメントを保護し、かつ、取り付けが容易であるように構成したエンジン用エアクリーナー・カバーに関する。
【０００２】
【従来の技術】
エンジン用エアクリーナーの一例として、図６の組立図に示すように、気泡が連通した多孔質発泡ウレタンなどにより円柱状に形成したフィルタエレメント４を吸気口に設けることにより、フィルタエレメント４によって空気中の塵埃を除去している。
【０００３】
この種のエンジン用エアクリーナーは、インテーク・マニュホールドに筒状の結合部材２を介して結合される通気孔32を有する台座３にフィルタエレメント４を載せ、フィルタエレメント４の頂部にリング状取付金具５を嵌め込み、このリング状取付金具５の切起し片51と台座３に形成した切起し片31との間にコイル状スプリング６を掛けて、フィルタエレメント４を固定している。
【０００４】
このフィルタエレメント４は、台座３の通気孔32と連通する空洞42を有し（図３参照）、表面積を増加するために周囲に螺旋状の凹凸41が形成されている。
【０００５】
そして、フィルタエレメント４が、目詰まりして通気性が悪くなったときに、コイル状スプリング６およびリング状取付金具５を外し、フィルタエレメント４を外して洗浄するか交換をしている。
【０００６】
【発明が解決しようとする課題】
従来のエアクリーナーにおいては、エンジンルーム内に、フィルタエレメント４を露出させた状態で比較的温度が低い場所に設置されており、塵埃を除去する機能を果たしている。
【０００７】
エンジンから放射される輻射熱によって露出したフィルタエレメント４が劣化させられるので、フィルタエレメント４をカバーで覆うことが行われている。
【０００８】
しかし、フィルタエレメント４をカバーで覆うと、吸気効率を低下させたり、フィルタエレメント４の特定の部分に塵埃が集中して堆積する傾向があった。
【０００９】
そこで、この発明は、フィルタエレメントをカバーで覆っても、フィルタエレメントの吸気効率を低下させることがなく、かつ、取り付けが容易なエンジン用エアクリーナー・カバーを提供するために考えられたものである。
【００１０】
【課題を解決するための手段】
この発明のエンジン用エアクリーナーカバーは、空気を取り入れる開口部13および台座３に載せる狭い開口部14を有し、多孔質発泡ウレタンなどにより円柱状に形成したフィルタエレメント４の側部を保護するカバー１であって、カバー１の内側に空気を整流させる螺旋状のフィン11を設けるとともに、カバーの側面に孔12をあけて、フィルタエレメント４の頂部にリング状取付金具５を嵌め込み、カバー１の孔12を経て、リング状取付金具５と台座３との間にコイル状スプリング６を掛けて、フィルタエレメント４およびカバー１を台座３に固定するものである。
【００１２】
【発明の実施の形態】
以下、本発明のエンジン用エアクリーナー・カバーの実施形態を、添付図面に基づいて詳細に説明する。
【００１３】
この発明のエンジン用エアクリーナー・カバーは、図１の縦断面図に示すように、フィルタエレメント４の側部を覆うものであって、輻射熱を反射するアルミニウムなどの絞り加工が容易な金属板で作られ、吸気口となる広い開口部13および台座３に載せる狭い開口部14を有するラッパ状のカバーであり、カバー１の内面には、複数の螺旋状のフィン11が設けられ、カバー１の側面にはコイル状スプリング６を挿通させるための孔12があけられている。
【００１４】
螺旋状のフィン11は、組み立てた際に、フィルタエレメント４とカバー１との間に位置するように、アルミニウムなどの細長い金属板を加工したものであって、カバー１の内面に鋲止めなどにより固定されている。
【００１５】
この発明のカバーを適用するエンジン用エアクリーナーは、図２の組立図および図３の縦断面図に示すように、インテーク・マニュホールドに筒状の結合部材２を介して結合される通気孔32を有する台座３にフィルタエレメント４を載せ、カバー１でフィルタエレメント４の側部を覆うように、カバー１を台座３に載せたのち、フィルタエレメント４の頂部にリング状取付金具５を嵌め込み、カバー１の側面にあけた孔12を経て、リング状取付金具５の切起し片51と台座３の切起し片31との間にコイル状スプリング６を掛けて、フィルタエレメント４およびカバー１を台座３に固定することにより、図４の側面図および図５の平面図に示すように組み立てる。
【００１６】
このように、多孔質発泡ウレタンのフィルタエレメント４を使用したエンジン用エアクリーナーにおいては、フィルタエレメント４にカバー１が取り付られていないが、ユーザー自身が容易にカバー１を取り付けることができる。
【００１７】
このように構成されたエンジン用エアクリーナーを使用し、エンジンを始動させて吸気すると、フィルタエレメント４は、その周囲の空気を吸い込むのであるが、螺旋状のフィン11を有するカバー１が設けられているので、カバー１の開口部13から取り入れた空気は螺旋状のフィン11によって整流され、旋回しながらフィルタエレメント４に吸い込まれる。
【００１８】
【発明の効果】
以上の実施の形態に基づく説明から明らかなように、本発明によると、カバー１によってフィルタエレメント４の側部が覆われているので、カバー１の開口部13を温度の低い方向に向けて設置して低温の空気を吸入させることが可能になり、また、カバー１の内側に螺旋状のフィン11を設けて、吸入空気を螺旋状に整流することにより、フィルタエレメント４の全表面から均一に吸気が可能となり、目詰まりが集中することなく吸気効率を高めることができる。
【００１９】
さらに、従来のエンジン用エアクリーナーにカバー１を取り付ける際に、コイル状スプリング６をそのまま使用して、カバー１およびリング状取付金具５を取り付けることができるので、カバー１以外の部品を必要とせず、また、特別な加工を要しないので、ユーザー自身で容易にカバー１を取り付けることができる。
【図面の簡単な説明】
【図１】この発明のエンジン用エアクリーナー・カバーの実施の形態を示す縦断面図、
【図２】この発明のカバーを適用したエンジン用エアクリーナー示す組立図、
【図３】この発明のカバーを適用したエンジン用エアクリーナーを示す縦断面図、
【図４】この発明のカバーを適用したエンジン用エアクリーナーを示す側面図、
【図５】この発明のカバーを適用したエンジン用エアクリーナーを示す平面図、
【図６】従来のエンジン用エアクリーナーの一例を示す組立図である。
【符号の説明】
１  カバー
２  筒状の結合部材
３  台座
４  フィルタエレメント
５  リング状取付金具
６  コイル状スプリング
11  フィン
12  孔
13、14  開口部
31、51  切起し片
【図１】
0004441089.tif 000002
【図２】
0004441089.tif 000003
【図３】
0004441089.tif 000004
【図４】
0004441089.tif 000005
【図５】
0004441089.tif 000006
【図６】
0004441089.tif 000007